(57)【要約】【課題】  表示面の前方に短冊状体を配置して多彩な演出ができる遊技機の表示装置を提供する。【解決手段】  本発明の遊技機の表示装置は、画像信号に応じた画像を表示する表示面を備えた表示器と、該表示器の前方に互いに並置された複数の短冊状体と、該短冊状体の長手方向に沿った軸線の回りの角度を可変としかつ前記表示面に平行な面内における該短冊状体の位置決めをなす回転位置決め機構と、を含む。【選択図】  図２
2006247047.tif 000002
【特許請求の範囲】
【請求項１】
遊技機の表示装置であって、
画像信号に応じた画像を表示する表示面を備えた表示器と、
前記表示器の前方に互いに並置された複数の短冊状体と、
前記短冊状体の長手方向に沿った軸線の回りの角度を可変としかつ前記表示面に平行な面内における前記短冊状体の位置決めをなす回転位置決め機構と、を含むことを特徴とする遊技機の表示装置。
【請求項２】
前記短冊状体は、透明部材、半透明部材若しくは不透明部材からなることを特徴とする請求項１記載の遊技機の表示装置。
【請求項３】
前記画像信号に応じた画像の内容に応じて前記回転位置決め機構を制御する制御手段を有することを特徴とする請求項１又は２に記載の遊技機の表示装置。
【請求項４】
前記短冊状体の幅は互いに異なっていることを特徴とする請求項１乃至３のいずれか１に記載の遊技機の表示装置。
【請求項５】
前記回転位置決め機構は前記短冊状体の一方の端部を支持する可動体と、前記表示面に平行な方向に伸長していてこれに沿って前記可動体を移動せしめる第１回転軸と、前記第１回転軸の長手方向と平行な方向に伸長する第２回転軸と、前記第２回転軸の回転運動を前記短冊状体の回転運動に変換する回転伝達機構と、を有し、
前記可動体は前記回転伝達機構と前記第１および第２回転軸を貫通せしめる２つの貫通孔とを有する、ことを特徴とする請求項１記載の遊技機の表示装置。
【請求項６】
前記短冊状体の他方の端部にガイド部が設けられており、
前記第１回転軸の長手方向に平行な方向に伸長していて前記ガイド部を案内するガイドレールが設けられていることを特徴とする請求項５記載の遊技機の表示装置。
【請求項７】
前記第１および第２回転軸は前記表示器を挟むように上下若しくは左右に離間して配置されており、
前記短冊状体の他方の端部は前記回転伝達機構と前記第２回転軸を貫通せしめる貫通孔とを有する第２の可動体に支持されていることを特徴とする請求項５記載の遊技機の表示装置。
【発明の詳細な説明】
【技術分野】
【０００１】
本発明は、遊技機用表示装置に関し、特に表示面の前方に短冊状体を配置して表示演出に変化を富ませた遊技機用表示装置に関する。
【背景技術】
【０００２】
従来、遊技機、例えば、弾球遊技機において、複数の識別図柄を可変表示させてその停止時の識別図柄の組合せが予め定めた大当り情報の組合せであるときに、特定遊技状態（大当り遊技状態とも言う）となって短時間に多量の入賞玉を発生させるチャンスを遊技者に付与するものが多数提供されている。当該識別図柄を表示する表示装置として、液晶ディスプレイ（ＬＣＤ）、陰極線管ディスプレイ（ＣＲＴ）等の画像表示器が使用されている。かかる画像表示器によれば、識別図柄を含む画像をソフトによって自由に表示することができる。
【０００３】
ところで、上記した画像表示器は、平面状の表示面に画像を表しているだけであるため、画像による演出が単調になるおそれがあった。そこで表示器の前方に該表示器の表示面をよぎるように移動するシャッター部を配置し、該シャッター部で表示面の図柄を隠す技術が提案されている（特許文献１乃至４参照）。
【０００４】
特許文献１に記載の遊技機は、ラックアンドピニオン機構を使用して開閉可能となっている扉（シャッター部）を画像表示器の表示面に配置している。
【０００５】
特許文献２に記載の遊技機は、筒状に巻き上げられた励磁コイルと該励磁コイル内に挿通された金属製の心棒と該心棒を該励磁コイルの一側方に付勢するスプリングと該励磁コイル及び該心棒などを内包するケースとからなるソレノイドと、該心棒に連結された略矩形の扉（シャッター部）と、を備えている。通常、該励磁コイル内に挿通された心棒は該ケース内に設けられたスプリングによって該ケース内に格納されている。また、該励磁コイルに励磁電流を入力した場合には、該励磁コイルが磁化されて該心棒をケース外へと突き出す構造となっている。すなわち、励磁電流の入力の有無により該心棒に連結された該シャッタ部の開閉が行われている。
【０００６】
特許文献３および４に記載の遊技機は、開口部を挟む左右両側に３本のレールが前後方向（遊技者側を前方、遊技盤側を後方）に並設されていて該レールに沿って上下に移動する遮蔽板（シャッター部）が各レールに１枚ずつ備えられているシャッター装置を有している。各シャッター部は、その上部に前方に突出した開放用係合片と後方に突出した第１閉鎖用係合片が設けられており、その下部に前方に突出した第２閉鎖用係合片が設けられている。かかるシャッター部を下方に移動させると、隣り合うシャッター部のうち前方のシャッター部の第１閉鎖用係合片と後方のシャッター部の第２閉鎖用係合片とが係合しあい、これによってシャッター部が順次下方に送り出されて該開口部が閉鎖される。逆にシャッター部を上方に移動させると、隣り合うシャッター部のうち前方のシャッター部の第１閉鎖用係合片と後方のシャッター部の開放用係合片とが係合しあい、これによってシャッター部が順次上方に送り出されて該開口部が開放される。
【特許文献１】特開２００３‐２３６０４３号公報
【特許文献２】特開２００１‐３４６９６９号公報
【特許文献３】特開２００４‐１２９６７９号公報
【特許文献４】特開２００４‐１３５８８５号公報
【発明の開示】
【発明が解決しようとする課題】
【０００７】
ところが、上記の如き遊技機において、シャッター部は所定の方向（上下若しくは左右方向）に往復移動するのみであることから、該シャッター部の動きによる演出が単調となるおそれがある。
【０００８】
また、該シャッター部は常に一方の面のみを遊技者側に表示することから、該シャッター部に施された図柄が該シャッター部の動きにあわせて変化してもその変化による演出は限られてしまう。結果的に、遊技者は遊技を続けるに従ってシャッター部による演出に新鮮味を感じなくなり、かかる演出に飽きが生じるおそれがある。
【０００９】
本発明は上述した問題点が一例として挙げられる課題を解決するためになされたものであり、遊技図柄を効果的に見え隠れさせることによって多彩な演出が提供できる遊技機用表示装置を提供することを目的としている。
【課題を解決するための手段】
【００１０】
請求項１に記載の遊技機の表示装置は、画像信号に応じた画像を表示する表示面を備えた表示器と、前記表示器の前方に互いに並置された複数の短冊状体と、前記短冊状体の長手方向に沿った軸線の回りの角度を可変としかつ前記表示面に平行な面内における前記短冊状体の位置決めをなす回転位置決め機構と、を含むことを特徴とする。
【発明を実施するための最良の形態】
【００１１】
以下、本発明による遊技機の表示装置を、添付図面を参照しつつ詳細に説明する。なお、下記実施例は、遊技機としてパチンコ機を用いて説明している。しかし、本発明はこれに限定されず、例えばスロットマシンに使用されても良い。
（第１実施例）
図１に示す如く、遊技機１は、縦長な方形状の枠組にて構成され遊技機の設置場所に強固に固定される外枠２と、外枠２に一側を保持され且つ外枠２に対して開閉自在に設けられた表枠３と、表枠３に開閉自在に設けられている透明ガラス枠（図示せず）および扉枠（図示せず）と、を備えている。
【００１２】
表枠３には、盤面が遊技領域とされる遊技盤４が設けられている。表枠３の下方には、遊技機に供給すべき弾球（以下、遊技球とも称する）を一時貯留する上皿５、遊技機１より賞球として排出された弾球の一部を貯留する下皿（図示せず）、灰皿６、弾球を遊技盤の上部に打ち出す弾球打出装置（図示せず）、弾球打出装置を操作するための操作ハンドル７が設けられている。
【００１３】
遊技盤４には図示しない釘や風車等が設けられている他に、遊技盤４のほぼ中央に種々の図柄及び絵柄から構成される遊技画像を遊技の進行状況に合わせて表示する表示装置８が設けられている。表示装置８は、遊技画像を表示する表示面９と、表示面上に配置されてこれを覆うことができる複数の短冊状体１０と、を含んでいる。
【００１４】
表示装置８は遊技盤４を形成する合板の裏面側に設けられていて、合板のほぼ中央に設けられている開口部（図示せず）を裏面側から塞ぐように配置されている。表示装置８は該開口部を介して前面側から視認できるようになっている。なお、合板の前面側には該開口部に嵌め込まれていて該開口部の周囲を装飾する装飾部１１が配置されていることとしても良い。なお、図中、表示面９は矩形表示面として示されているもののこれに限定されず、例えば楕円形表示面、多角形表示面であることとしても良い。また、以下説明を簡単にするべく、表示面９を正面に据えて見たときを基準にして、上下方向および左右方向が定められているものとする。
【００１５】
図２に示す如く、表示装置８は、液晶ディスプレイ（ＬＣＤ）、陰極線管ディスプレイ（ＣＲＴ）若しくはエレクトロルミネセンスディスプレイ（ＥＬＤ）などの画像信号に応じた画像を表示する表示面９を備えた表示器１２と、表示器１２の表示面９に平行な方向に互いに平行に左右に伸長している第１および第２回転軸１３，１４と、を含む。第１および第２回転軸１３，１４は、それぞれ一端が軸受け部１５，１６によって回転自在に支持されており他端が歯車１７，１８を介して第１および第２回転モータ１９，２０に連結されている。第１および第２回転モータ１９，２０を回転駆動させることによって第１および第２回転軸１３，１４が回転駆動可能となっている。軸受け部１５，１６および第１および第２回転モータ１９，２０は、枠部２１によって支持されている。なお、以下、回転モータが設けられている側を基端側と称し、軸受け部が設けられている側を先端側と称する。
【００１６】
第１回転軸１３は例えばネジ状に溝が設けられているスクリューシャフトである。第２回転軸１４はその外周面に長手方向において伸長する５本の溝が設けられている。第１および第２回転軸１３，１４には、これらの回転軸の長手方向に沿って移動自在な複数の可動体２２が設けられている。
【００１７】
図２および図３に示す如く、可動体２２は第１および第２回転軸１３，１４を貫通せしめる第１および第２貫通孔２３，２４が設けられている。また、各可動体２２には第２回転軸１４に交差する方向であり表示面９に平行な面内に上下に伸長する回転軸を備えた回転伝達機構が設けられている。
【００１８】
該回転伝達機構は、第２回転軸１４の溝に係合するリブ２５が形成された第２貫通孔２４を有するウォーム２６とウォーム２６に噛み合うウォームホイール２７とを備え、ウォームホイール２７の下部にはウォームホイール２７と一体に形成された保持手段２８が連結されている。ウォームホイール２７は保持手段２８の回転軸となっている。保持手段２８は短冊状体１０の一方の端部を保持しており、これによって短冊状体１０の長手方向に沿った軸線の回りの角度が可変となっている。第２回転軸１４が回転することによって、該回転伝達機構を介して短冊状体１０が回転駆動する。すなわち、該回転伝達機構は、第２回転軸１４の回転運動を短冊状体１０の回転運動に変換している。
【００１９】
以上のように、各可動体２２に短冊状体１０が取り付けられて、複数の短冊状体１０が表示器１２の前方に互いに並置される。なお、短冊状体１０は、金属板、プラスチック板、木材板等からなることとしても良い。また、短冊状体１０は可視光をほぼ完全に通過せしめる透明部材、可視光の一部のみを通過せしめる半透明部材、可視光を完全に遮断する不透明部材からなることとしても良い。
【００２０】
なお、短冊状体１０の表裏の両主面には異なる図柄が描かれていることとしても良い。例えば、一方の主面に第１図柄Ａが描かれ、他方の主面に第２図柄Ｂが描かれることとしても良い。これによって、短冊状体１０は、回転伝達機構による回転によって、異なる２つの図柄のうちのいずれか（第１図柄Ａ若しくは第２図柄Ｂ）を遊技者に示すことができる。
【００２１】
上記の如き構成の可動体２２のうち、最も先端側にある可動体（以下、先頭の可動体と称する）の第１貫通孔２３は、第１回転軸１３に螺合する雌ネジ（図示せず）となっている。その他の可動体２２の第１貫通孔２３内は、第１回転軸１３に対してスライドできるように平坦な面になっている。可動体２２は、互いに隣り合う可動体２２同士の間隔が一定となるようにスペーサ２９およびストッパ３０によって互いに連結されている。スペーサ２９は、互いに隣り合う可動体２２同士の間隔を規定している。また、ストッパ３０は、先端側に配置されていて隣接している可動体のスペーサ２９の先端に設けられた突起部２９ａと係合することによって可動範囲を規定している。先頭の可動体２２が第１回転軸１３の回転によって先端側に向けて移動すると、後続の可動体２２が一定間隔で先端側に順次送り出される。また、先頭の可動体２２が基端側に向けて移動すると後続の可動体は先頭の可動体２２に順次押し戻される。上記の如き構成によって可動体２２は、第１および第２回転軸１３，１４の長手方向において移動できる。すなわち、各短冊状体１０は表示器１２の表示面９の前面を左右によぎることができる。
【００２２】
上記のように、第１および第２回転軸１３，１４と可動体２２と回転伝達機構とによって回転位置決め機構が構成され、短冊状体１０の長手方向に沿った軸の回りの角度を可変としかつ表示面９に平行な面内における短冊状体１０の位置決めをなすことができる。
【００２３】
次に、上記の如き表示装置の動作の実施例について説明する。遊技機１は、例えば遊技球が所定の入賞口（始動入賞口等）を通過したことを示す始動信号が制御回路装置（図示せず）に入力されたことを契機として、該制御回路装置から供給された制御信号に基づいて表示装置８を駆動せしめる。
【００２４】
図４に示す如く、表示装置８は、該制御信号を受信していない状態において、可動体２２を基端側に集めて収容している。短冊状体１０の主面は表示面９に対して垂直であり、短冊状体１０のうち隣り合うもの同士の一方の主面が互いに向き合っている状態で収容されている。
【００２５】
該制御信号が表示装置８の制御手段（図示せず）に供給されたときに、該制御手段は表示器１２に対して所定の遊技状態に対応した画像信号を供給して表示面９に示される図柄を変動せしめる。これと同時に、該制御手段は、第１回転モータ１９を駆動せしめる。第１回転モータ１９が駆動することによって、先頭の可動体２２が基端側から先端側に移動し、これに伴って後続の可動体２２が順次先端側に向けて送り出される。先頭の可動体２２が表示面９の左端部などの所定の位置まで移動した後、第１回転モータ１９が停止する（図５）。このとき、短冊状体１０は回転することなく、上述の如く主面同士が向き合った状態で送り出される。
【００２６】
短冊状体１０が所定の間隔で離間しかつ短冊状体１０の主面が表示面９に垂直になっていることから、隣り合う短冊状体１０の間から表示面９に表示された図柄（以下、変動図柄と称する）を視認することができる。すなわち、表示器１２の前方に短冊状体１０を配置しても表示面９の変動図柄を完全に隠すことなく表示ができる。換言すれば短冊状体１０の移動による動的な演出と変動図柄による表示演出という２つの異なる演出を同時に行うことができる。
【００２７】
次に、画像信号に応じた画像の内容、すなわち変動図柄に対応して、第２回転モータ２０を回転せしめて短冊状体１０を回転せしめる。図６に示す如く、短冊状体１０を９０°回転させて表示器１２上に短冊状体１０の一方の主面が現れて、この一方の主面に描かれた第１図柄Ａが遊技者に表示される。これによって、変動図柄とは異なる図柄を遊技者に提供することができて、演出を変化させることができる。なお、上記の如き短冊状体１０の一方の主面を表示させる回転方向を順方向とする。
【００２８】
第２回転モータ２０を更に順方向に回転させる若しくは順方向とは逆の逆方向に回転させて、再度短冊状体１０の主面を表示面９に対して垂直に配置し、短冊状体１０の間から表示面９の変動図柄を遊技者に示すことができる。更に第２回転モータ２０を順方向もしくは逆方向に回転させることによって、図７に示す如く、短冊状体１０の他の主面（第２図柄Ｂ）を遊技者に表示させることができる。これによって、表示器１２に示された変動図柄および第１図柄とは異なる第２図柄を提供することができて、表示演出をさらに変化させることができる。
【００２９】
上記の如く、短冊状体１０の回転によって動的に図柄の変更を行うことができる。また短冊状体１０の両主面を用いることによって、２つの図柄を表示器１２上に表示させることができる。
【００３０】
なお、図４に示す如き短冊状体１０の主面が表示面９に垂直になっている状態から、第２回転モータ２０を逆方向に回転させて第２図柄Ｂを最初に表示させることとしても良い。
【００３１】
所定の変動図柄（例えば特定遊技状態を示す図柄）、第１図柄Ａ又は第２図柄Ｂが表示されたこと、若しくは表示装置８の制御手段（図示せず）が制御回路装置から停止信号を受信したことなどを契機として、短冊状体１０が基端側に集められて、一連の動作が終了する。なお短冊状体１０の収容は、第２回転モータ２０を駆動せしめて短冊状体１０の主面を表示面９に対して垂直になるように回転させた後、第１回転モータ１９を駆動せしめて先頭の可動体２２を基端側に移動させることによって行う。
【００３２】
上記した表示装置８は、表示器１２の変動図柄による固定された面上における静的な演出に加えて、短冊状体１０の配置による動的な演出ができる。すなわち、表示装置８は、変動図柄による演出と短冊状体１０による演出という２つの異なる演出手段を用いることができる。
【００３３】
なお、第１図柄Ａおよび第２図柄Ｂは、たとえばキャラクターを含む図柄であっても良い。また、第１図柄Ａは特定遊技状態（大当り遊技状態）を示す若しくはこれを示唆する図柄であり、第２図柄Ｂは通常遊技状態（はずれ遊技状態）を示す若しくはこれを示唆する図柄としても良い。この場合、第１図柄Ａが表示されたことを契機として、遊技機１が特定遊技状態となり、例えば所定数の賞球が払い出されることとしても良い。
【００３４】
また、変動図柄と第１図柄とを交互に示す、若しくは変動図柄と第２図柄を交互に示すこととしても良い。また、例えば変動図柄、第１図柄、変動図柄、第２図柄の順を繰り返すなど、第１図柄と第２図柄とを変動図柄を間に挟みつつ交互に示すこととしても良い。
【００３５】
例えば、変動図柄が通常遊技状態を示す図柄であり、第１図柄が特定遊技状態を示す図柄であるとした場合に、変動図柄と第１図柄とを短時間に交互に繰り返して表示した後、漸次いずれか一方の図柄を表示する時間を長くし、最終的にいずれか一方の図柄を停止表示させることとしても良い。上記の如き短冊状体の動きによって、表示器１２の最終表示結果が特定遊技状態若しくは通常遊技状態となることを示唆させるような表示を行うことができる。
【００３６】
短冊状体１０の主面を表示面に垂直に配置した状態から９０°回転させるのではなく、９０°未満（例えば６０°）だけ順方向（若しくは逆方向）に回転させた後にこれとは逆の方向に回転させることとして、第１図柄（若しくは第２図柄）が表示されることを遊技者に期待させるような表示変化を行うこととしても良い。また、変動図柄を短冊状体１０によって見え隠れさせるという演出もできる故、遊技者に図柄を注視させることができるなど表示装置８の演出効果を高めることができる。すなわち、表示装置８による図柄の変化を動的に行うことによって、結果的に遊技者を楽しませることができる。
【００３７】
なお、上記した短冊状体１０の動作は、変動図柄による演出に連動していることとしても良い。例えば、表示面９を３つの並列した変動領域に区切り、該変動領域はそれぞれ逐次変動する数字図柄を表示することができる場合について説明する。なお該変動領域群が同一の数字図柄を一列に静止表示した場合を特定遊技状態とする。
【００３８】
制御回路装置から該制御信号が表示装置８の制御手段に供給されたときに、該制御手段は表示器１２に対して画像信号を供給する。該画像信号は、変動領域群に逐次変化する数字図柄を示す内容が含まれている。従って、かかる映像信号を受信した表示器１２は変動領域群に数字図柄を変動表示する。このとき、制御手段は第１回転モータ１９を駆動せしめて、図５に示す如く、一定間隔で離間しておりかつ主面が表示面９に対して垂直になるよう短冊状体１０を配置する。３つの変動領域うち２つの変動領域において数字図柄を停止表示させたときに、短冊状体１０の主面を表示面９に対して垂直に配置した状態から３０°だけ順方向（若しくは逆方向）に回転させた後にこれとは逆の方向に同じ角度だけ回転させるという動作を繰り返す。
【００３９】
さらに、数字図柄が変動表示されている１つの変動領域における数字図柄の変動間隔が長くなるに従って、短冊状体１０の回転角度を漸次大きくし、例えば６０°まで順方向若しくは逆方向に短冊状体１０を回転せしめる。かかる１つの変動領域に数字図柄を停止表示させたときに、該変動領域群が同一の数字図柄を一列に停止表示している場合、短冊状体１０を順方向に９０°回転させて特定遊技状態を示す第１図柄Ａを表示して遊技機が特定遊技状態となったことを遊技者に報知する。また、該変動領域群が異なる数字図柄を一列に停止表示している場合、短冊状体１０を逆方向に９０°回転させて通常遊技状態を示す第２図柄Ｂを表示して遊技機が通常遊技状態となったことを遊技者に報知する。
【００４０】
上記の如く、変動図柄に応じて短冊状体１０を動かすことによって、表示器１２による静的な演出と短冊状体１０による動的な演出とを組み合わせた複雑な演出を遊技者に提供できる。
（実施例２）
図８に示す如く、短冊状体１０の幅が互いに異なっていることとしても良い。この場合、短冊状体１０の幅に合わせてスペーサ（図示せず）の長さを設定し、隣り合う短冊状体１０同士が接触しないようになっている。上記したもの以外の構成は、実施例１とほぼ同様であることとしても良い。かかる構成によれば、各短冊状体１０の回転角度が同一であっても、短冊状体１０の間から見得る表示面９の範囲を短冊状体１０間毎に異ならしめることができる。
（実施例３）
図９に示す如く、短冊状体１０の他方の端部にガイド部３１が設けられ、枠部２１にガイド部３１を案内するガイドレール３２が設けられていることとしても良い。ガイドレール３２は第１回転軸１９の長手方向に平行な方向に伸長していて、ガイド部３１はガイドレール３２内を摺動することとしても良い。上記したもの以外の構成は、実施例１とほぼ同様であることとしても良い。
【００４１】
ガイド部３１およびガイドレール３２が設けられることによって、短冊状体１０が第１および第２回転軸１３，１４に対して交差する方向に揺れ動くことを防止できる。
（実施例４）
図１０に示す如く、表示装置８は、第１および第２回転軸１３，１４が表示器１２を挟むように上下に離間して配置されていることとしても良い。第１および第２回転軸１３，１４は、それぞれ一端が軸受け部１５，１６によって回転自在に支持されて他端が歯車１７，１８を介して第１および第２回転モータ１９，２０に取り付けられている。軸受け部１５，１６および第１および第２回転モータ１９，２０は、枠部２１によって支持されている。
【００４２】
第１回転軸１３には、当該回転軸の長手方向に沿って移動自在な複数の第１の可動体２２ａが設けられている。第１の可動体２２ａはそれぞれ第１回転軸１３を貫通せしめる貫通孔（図示せず）を有する。各第１の可動体２２ａには第１回転軸１３に交差する方向であり表示面９に平行な面内に伸長する回転軸を備えた回転機構（図示せず）が設けられていて、該回転機構は第１の可動体２２ａから突出していて該回転軸の回りに回転自在な第１の保持手段２８ａを備えている。第１の保持手段２８ａは、短冊状体１０の一方の端部を保持している。
【００４３】
上記の如き構成の第１の可動体２２ａのうち、先端側の第１の可動体２２ａの貫通孔は、第１回転軸１３に螺合する雌ネジ（図示せず）となっている。その他の第１の可動体２２ａの貫通孔内は、第１回転軸１３に対してスライドできるように平坦な面になっている。
【００４４】
第２回転軸１４には、当該回転軸の長手方向に沿って移動自在であり第１の可動体２２ａと同数の第２の可動体２２ｂが設けられている。第２の可動体２２ｂはそれぞれ第２回転軸１４を貫通せしめる貫通孔（図示せず）が設けられている。第２の可動体２２ｂにはそれぞれ回転伝達機構（図示せず）が設けられている。該回転伝達機構は、第１実施例の可動体の回転伝達機構と同様の構成であり、第２回転軸１４の溝に係合するリブ（図示せず）が形成された貫通孔（図示せず）を有するウォーム（図示せず）と該ウォームに噛み合うウォームホイール（図示せず）と、該ウォームホイールと一体に形成された第２の保持手段２８ｂと、を備えている。該ウォームホイールは第２の保持手段２８ｂの回転軸となっている。第２の保持手段２８ｂは短冊状体１０の他方の端部を保持している。短冊状体１０の一方の端部が、第１の可動体２２ａに対して回転自在になっていることから、第２回転軸１４が回転することによって、該回転伝達機構を介して短冊状体１０が回転駆動する。その他の構成は、上述した第１実施例とほぼ同様の構成である。
【００４５】
以上のように、第１回転軸１３と第２回転軸１４とを離間して配置することによって、省スペース化を図ることができる。すなわち、実施例１に記載の如き構成によると遊技機の奥行き方向に回転軸を並置する必要があることから奥行き方向においてスペースを確保する必要があるものの、第１および第２回転軸１３，１４を離間して配置することによって、奥行き方向における表示装置の省スペース化を図ることができる。
【００４６】
また、第１および第２回転軸１３，１４上に設けられた第１および第２の可動体２２ａ，２２ｂが短冊状体の両端を保持することによって、短冊状体１０が揺れ動くことを防ぐことができる。特に、基端側から先端側へと短冊状体を移動させている場合において、かかる移動を停止させると、一端のみが保持されている短冊状体は慣性によって他端が揺れ動くおそれがあるものの、上記の如き構成の短冊状体１０は両端が第１および第２の可動体２２ａ，２２ｂによって保持されていて第１および第２回転軸１３，１４によって第１および第２の可動体２２ａ，２２ｂの可動方向が制限されているため、慣性によるぶれは生じ難い。
【００４７】
なお、上記した実施例１乃至４は、説明を簡単にするために、何れも表示画面の左右方向に短冊状体１０を移動せしめる構成を用いて説明している。しかし、本発明はこれに限定されず、例えば表示面の上下に短冊状体１０を移動せしめる構成としても良い。実施例４で短冊状体１０を上下方向に移動する構成とする場合は、第１および第２回転軸は表示器１２を左右から挟むように離間して配置する。また、上記した短冊状体１０およびこれを移動せしめる駆動手段を複数設けて、各短冊状体の移動方向をそれぞれ異ならしめることとしても良い。
【図面の簡単な説明】
【００４８】
【図１】本発明による遊技機の外観斜視図である。
【図２】本発明による遊技機用表示装置の概略斜視図である。
【図３】本発明による遊技機用表示装置の短冊状体および可動体の概略斜視図であ    る。
【図４】本発明による遊技機用表示装置の概略正面図である。
【図５】本発明による遊技機用表示装置の概略正面図である。
【図６】本発明による遊技機用表示装置の概略正面図である。
【図７】本発明による遊技機用表示装置の概略正面図である。
【図８】本発明による遊技機用表示装置の変形例の概略正面図である。
【図９】本発明による遊技機用表示装置の変形例の概略斜視図である。
【図１０】本発明による遊技機用表示装置の変形例の概略正面図である。
【符号の説明】
【００４９】
１  遊技機
２  外枠
３  表枠
４  遊技盤
５  上皿
６  灰皿
７  操作ハンドル
８  表示装置
９  表示面
１０  短冊状体
１１  装飾部
１２  表示器
１３  第１回転軸
１４  第２回転軸
１５、１６  軸受け部
１７、１８  歯車
１９  第１回転モータ
２０  第２回転モータ
２１  枠部
２２  可動体
２２ａ  第１の可動体
２２ｂ  第２の可動体
２３  第１貫通孔
２４  第２貫通孔
２５  リブ
２６  ウォーム
２７  ウォームホイール
２８  保持手段
２８ａ  第１の保持手段
２８ｂ  第２の保持手段
２９  スペーサ
２９ａ  突起部
３０  ストッパ
３１  ガイド部
３２  ガイドレール
【図１】
2006247047.tif 000003
【図２】
2006247047.tif 000004
【図３】
2006247047.tif 000005
【図４】
2006247047.tif 000006
【図５】
2006247047.tif 000007
【図６】
2006247047.tif 000008
【図７】
2006247047.tif 000009
【図８】
2006247047.tif 000010
【図９】
2006247047.tif 000011
【図１０】
2006247047.tif 000012